(57)【特許請求の範囲】
【請求項１】
竪枠またはドアのいずれか一方に取付けられるアーム、
前記竪枠または前記ドアの他方に取付けられるベースであって、前記アームと係合するヘッドを有するベース、
を備え、前記竪枠と前記ドアとをロックするドアガードにおいて、
前記ベースはヘッド収納部を有しており、
前記ヘッドには、ストッパ係合溝が設けられており、
前記ヘッドは、前記ヘッド収納部から突出した非収納位置または、前記ヘッド収納部にその全部または一部が収納された収納位置に移動可能に、前記ベースに取付けられており、
さらに、
前記ヘッドが前記非収納位置に位置するよう付勢する第一付勢手段、
前記ヘッドの前記ストッパ係合溝と係合するストッパ係合用突起、およびストッパスライド用溝を有するストッパ、
前記ストッパを、前記ストッパ係合溝と前記ストッパ係合用突起が係合する方向に付勢する第二付勢手段、
一端が押圧されると、他端が前記ストッパスライド用溝と当接して、前記ストッパ係合溝と前記ストッパ係合用突起との係合を解除する方向に、前記ストッパをスライドさせる解除ピン、
を備えたことを特徴とするドアガード。
【請求項２】
請求項１のドアガードにおいて、
前記解除ピンは、前記アームが非ロック状態からロック状態に起こされると、前記一端が前記アームによって押圧される位置に設けられていること、
を特徴とするドアガード。
【発明の詳細な説明】
【０００１】
【産業上の利用分野】
この発明は、ドアガードに関し、特に、ヘッドの構造に関する。
【０００２】
【従来技術およびその課題】
今日、ドアが竪枠から所定の間隔以上に開かないようロックするドアカードが知られている。図６Ａ，Ｂに示すように、ドアガード７１は、アーム７３および受金７５から構成されている。図６Ｂは図６ＡのＨ−Ｈ断面図である。
【０００３】
アーム７３は、その取付け部をドア４にネジ止めされている。また受金７５は竪枠６にネジ止めされる。ロック状態とするには、図に示す状態からアーム７３を矢印α方向に回転させ、受金７５のヘッド７６と係合させる。これにより、ドア４を矢印β方向に開いていき、アーム７３の先端内側部７３ｂ（図６Ｂ参照）とヘッド７６が係合すると、それ以上ドア４は開かず、ドア４と竪枠６とをロックする。
【０００４】
しかしながら、ドアガード７１においては、前記受金７５からヘッド７６が突出しているので、通行する際衣服が引っ掛かったりする等の問題があった。
【０００５】
この発明は、上記のような問題点を解決し、通行する際、衣服が引っ掛かったりすることのないドアガードを提供することを目的とする。
【０００６】
【課題を解決するための手段】
請求項１のドアガードにおいては、
前記ベースはヘッド収納部を有しており、
前記ヘッドには、ストッパ係合溝が設けられており、
前記ヘッドは、前記ヘッド収納部から突出した非収納位置または、前記ヘッド収納部にその全部または一部が収納された収納位置に移動可能に、前記ベースに取付けられており、
さらに、
前記ヘッドが前記非収納位置に位置するよう付勢する第一付勢手段、
ストッパスライド用溝および前記ヘッドの前記ストッパ係合溝と係合するストッパ係合用突起を有するストッパ、
前記ストッパを、前記ストッパ係合溝と前記ストッパ係合用突起が係合する方向に付勢する第二付勢手段、
一端が押圧されると、他端が前記ストッパスライド用溝と当接して、前記ストッパ係合溝と前記ストッパ係合用突起との係合を解除する方向に、前記ストッパをスライドさせる解除ピン、
を備えたことを特徴とする。
【０００７】
請求項２のドアガードにおいては、前記解除ピンは、前記アームが非ロック状態からロック状態に起こされると、前記一端が前記アームによって押圧される位置に設けられていること、
を特徴とする。
【０００８】
【作用】
請求項１のドアガードにおいては、前記ヘッドは、前記ヘッド収納部から突出した非収納位置または、前記ヘッド収納部にその全部または一部が収納された収納位置に移動可能に、前記ベースに取付けられている。前記第二付勢手段は、前記ストッパを、前記ストッパ係合溝と前記ストッパ係合用突起が係合する方向に付勢する。すなわち前記ヘッドが収納位置に移動した状態では、前記ストッパは前記ヘッドを前記収納位置に保持する。これにより、収納状態が保持される。
【０００９】
このようにして、不要な場合には、前記ヘッドを前記ベースに収納することができる。
【００１０】
前記解除ピンは、その一端が押圧されると、他端が前記ストッパスライド用溝と当接して、前記ストッパ係合溝と前記ストッパ係合用突起との係合を解除する方向に、前記ストッパをスライドさせる。ここで、前記第一付勢手段は、前記ヘッドを前記非収納位置に位置するよう付勢する。これにより、前記ヘッドは前記非収納位置に保持される。
【００１１】
このようにして、必要な場合には、前記ヘッドを前記ベースから非収納位置に保持することができる。
【００１２】
請求項２のドアガードにおいては、前記解除ピンは、前記アームが非ロック状態からロック状態に起こされると、前記一端が前記アームによって押圧される位置に設けられている。したがって、前記アームを非ロック状態からロック状態に起こすだけで、前記解除ピンの一端を押圧することができ、これにより、ストッパ係合溝と前記ストッパ係合用突起との係合が解除される。
【００１３】
【実施例】
以下、本発明の一実施例について図面を参照して説明する。
【００１４】
図１Ａに、ドアガード１を取付けた状態を示す。ドアガード１は、アーム３およびベース５を備えている。アーム３については、従来のドアガードに用いられているアームと同じ構造をしている。すなわち、アーム３は、取付け部３ａに軸３ｂを中心に回転自在に保持されている。図１Ｂに示すように、取付け部３ａはドア４にネジ止めされる。
【００１５】
ベース５は、図１Ｂに示すように、ヘッド１１、第一付勢手段であるスプリング１３、ストッパ１５、第二付勢手段であるスプリング１７、および解除ピン１９を備えている。
【００１６】
ベース５はヘッド収納部５ａを有している。ベース５は、竪枠６にネジ止めされている。ヘッド１１は、ヘッド収納部５ａから突出した非収納位置または、ヘッド収納部５ａにその一部が収納された収納位置を移動可能に、ベース５に取付けられている。スプリング１３は、ヘッド１１が前記非収納位置に位置するよう付勢する。
【００１７】
ヘッド１１にはストッパ係合溝１１ａが設けられている。ストッパ１５は、矢印ε方向又はその逆方向にスライド自在に取付けられる。ストッパ１５は、前記ストッパ係合溝１１ａと係合するストッパ係合用突起１５ａを有する（図２参照）とともに、ストッパスライド用溝１５ｂを有する。スプリング１７は、ストッパ係合溝１１ａとストッパ係合用突起１５ａが係合する方向にストッパ１５を付勢する。
【００１８】
解除ピン１９は、一端１９ａが押圧されると、他端１９ｂがストッパスライド用溝１５ｂと当接して、ストッパ係合溝１１ａとストッパ係合用突起１５ａとの係合を解除する方向εに、ストッパ１５をスライドさせる。
【００１９】
つぎに、ドアガード１の使用方法について、図２〜図４を用いて説明する。図１Ａに示す状態は、ドア４と竪枠６とをロックしない状態を示す。このように、ドア４と竪枠６とをロックしない状態では、ベース５のヘッド１１は、ヘッド収納部５ａにその一部が収納された収納位置に移動した状態となっている。また、この状態は、ストッパ１５のストッパ係合用突起１５ａとヘッド１１のストッパ係合溝１１ａとが係合することにより、保持されている。
【００２０】
この状態から、アーム３を図１Ａ矢印α方向に回転させる。これにより、図２Ａに示すように、アーム３が非ロック状態からロック状態に起こされる。アーム３が非ロック状態からロック状態に起こされると、図２Ｂに示すように、アーム３が解除ピン１９の一端１９ａに当接する。これにより、解除ピン１９の他端１９ｂが、ストッパ１５のストッパスライド用溝１５ｂに当接する。解除ピン１９の他端１９ｂの先端には斜面が形成されており、ストッパスライド用溝１５ｂも斜面を有するので、さらに解除ピン１９が矢印δ方向とは逆側に押圧されると、ストッパ１５は、スプリング１７の弾撥力に抗して矢印ε方向に、スライドする。ストッパ１５が矢印ε方向にスライドすると、ストッパ係合溝１１ａとストッパ係合用突起１５ａとの係合が解除される。ヘッド１１は、スプリング１３にて矢印δ方向に付勢されているので、図３に示すように、非収納位置まで移動する。
【００２１】
なお、ヘッド１１には、係止部１１ｃが設けられており（図２Ｂ参照）、ヘッド収納部５ａにも同じく係止部５ｃが設けられている（図３参照）ので、これら２つの係止部によってヘッド１１はベース５から所定の距離だけ突出した状態で保持される。
【００２２】
このようにして、アーム３をロック状態とするだけで、非ロック時にはヘッド収納部５ａに収納されていたヘッド１１をヘッド収納部５ａから突出させて、ドア３と竪枠６をロックすることができる。
【００２３】
このように、ドアガード１においては、解除ピン１９を、前記アームが非ロック状態からロック状態に起こされると、前記一端が前記アームによって、前記ヘッドが収納する方向（矢印δとは逆方向）に押圧される位置に設けられている。したがって、アーム３を非ロック状態からロック状態に起こすだけで、解除ピン１９の一端１９ａを押圧することができ、これにより、ストッパ係合溝１１ａとストッパ係合用突起１５ａとの係合を解除することができる。
【００２４】
なお、ロックを解除するには、図４に示すように、アーム３を非ロック状態とすればよい。ヘッド１１は、ベース５のヘッド収納部５ａの方向（矢印δとは逆方向）に指等で押圧することにより、図１に示す状態となる。
【００２５】
これにより、ロック時には突出していたヘッド１１を、非ロック時にはベース５内に収納できるので、非ロック時におけるドア開口部の有効空間を大きくすることができる。したがって、通行する際衣服が引っ掛かったりすることがない。
【００２６】
なお、この実施例では、非収納位置が第一位置に該当し、収納位置が第二位置に該当する。
【００２７】
上記実施例においては、ストッパ係合溝１１ａとストッパ係合用突起１５ａを係脱するのに、ストッパ１５が矢印ε方向またはその逆方向に平行移動することにより、実現している。しかし、これに限られることなく、ストッパ係合溝１１ａとストッパ係合用突起１５ａを係脱できる機構であればどのような機構で実現してもよい。例えば、図５に示すように、保持部材４１の一端に突起部４１ａを形成しておいて、保持部材４１を軸４２を中心に揺動可能に構成してもよい。この場合、通常はスプリング４３から付勢力を与えられ、解除ピン１９で押圧されると軸４２を中心として揺動して、ヘッド１１の保持状態が解除される。
【００２８】
また、上記実施例においては、解除ピン１９をヘッド１１の移動方向と平行方向に移動することにより、ヘッド１１の保持状態を解除するようにしている。しかし、これに限られることなく、ヘッド１１の保持状態を解除できる機構であればどのような機構で実現してもよい。
【００２９】
上記実施例は、以下の様な技術的思想として把握することができる。
【００３０】
竪枠またはドアのいずれか一方に取付けられるアーム、
前記竪枠または前記ドアの他方に取付けられるベースであって、前記アームと係合するヘッドを有するベース、
を備え、前記竪枠と前記ドアとをロックするドアガードを用いたロック方法において、
前記ベースに前記ヘッドを、前記ベースから突出した第一位置または、前記ベースにその全部または一部が収納された第二位置に移動可能に取付け、
前記ヘッドを前記第一位置に位置するよう付勢しておき、
前記ヘッドを前記第二位置に保持可能とするとともに、前記アームの動きに連動して前記第二位置における保持を解除させること、
を特徴とするドアガードを用いたロック方法。
【００３１】
かかるロック方法においては、ロック不要な場合には、前記ヘッドを前記ベースに収納することができるので、通行する際衣服が引っ掛かったりすることがない。また、前記アームの動きに連動して前記第二位置における保持が解除されるので、解除操作が容易となる。
【００３２】
【発明の効果】
請求項１のドアガードにおいては、前記ヘッドは、前記ヘッド収納部から突出した非収納位置または、前記ヘッド収納部にその全部または一部が収納された収納位置に移動可能に、前記ベースに取付けられている。前記第二付勢手段は、前記ストッパを、前記ストッパ係合溝と前記ストッパ係合用突起が係合する方向に付勢する。すなわち前記ヘッドが収納位置に移動した状態では、前記ストッパは前記ヘッドを前記収納位置に保持する。これにより、収納状態が保持される。
【００３３】
前記解除ピンは、その一端が押圧されると、他端が前記ストッパスライド用溝と当接して、前記ストッパ係合溝と前記ストッパ係合用突起との係合を解除する方向に、前記ストッパをスライドさせる。ここで、前記第一付勢手段は、前記ヘッドを前記非収納位置に位置するよう付勢する。これにより、前記ヘッドは前記非収納位置に保持される。
【００３４】
このようにして、不要な場合には、前記ヘッドを前記ベースに収納することができる。したがって、通行する際衣服が引っ掛かったりすることのないドアガードを提供することができる。
【００３５】
請求項２のドアガードにおいては、前記解除ピンは、前記アームが非ロック状態からロック状態に起こされると、前記一端が前記アームによって押圧される位置に設けられている。したがって、前記アームを非ロック状態からロック状態に起こすだけで、前記解除ピンの一端を押圧することができ、これにより、ストッパ係合溝と前記ストッパ係合用突起との係合が解除される。
【００３６】
このようにして、不要な場合には、前記ヘッドを前記ベースに収納し、前記アームが非ロック状態からロック状態に起こすことにより、前記ヘッドを前記ベースから突出させた状態とすることができる。したがって、操作が煩雑でないドアガードを提供することができる。
【図面の簡単な説明】
【図１】本発明に係るドアガード１を示す図である。
【図２】ドアガード１の動作を説明する為の図である。
【図３】ヘッド１１の動作を説明する為の図である。
【図４】ヘッド１１の動作を説明する為の図である。
【図５】他の実施例を示す図である。
【図６】従来のドアガード７１を示す図である。
【符号の説明】
３・・・・・・・・アーム
３ａ・・・・・・・取付け部
３ｂ・・・・・・・軸
４・・・・・・・・ドア
５・・・・・・・・ベース
５ａ・・・・・・・ヘッド収納部
６・・・・・・・・竪枠
１１・・・・・・・ヘッド
１１ａ・・・・・・ストッパ係合溝
１３・・・・・・・スプリング
１５・・・・・・・ストッパ
１５ａ・・・・・・ストッパ係合用突起
１５ｂ・・・・・・ストッパスライド用溝
１７・・・・・・・スプリング
１９・・・・・・・解除ピン
１９ａ・・・・・・一端
１９ｂ・・・・・・他端
４１・・・・・・・保持部材
４１ａ・・・・・・突起部
４２・・・・・・・軸
４３・・・・・・・スプリング
【図１】
0003722877.tif 000002
【図２】
0003722877.tif 000003
【図３】
0003722877.tif 000004
【図４】
0003722877.tif 000005
【図５】
0003722877.tif 000006
【図６】
0003722877.tif 000007